(57)【特許請求の範囲】
【請求項１】
ワイヤレス通信のための装置であって、
共有アクセス媒体上において送信されたパケットの一部から少なくとも１つの遅延関連パラメータを取得することと、
前記少なくとも１つの遅延関連パラメータに、少なくとも部分的に、基づいて前記パケットに関連付けられた基本サービスセット（ＢＳＳ）を決定することと、
前記決定されたＢＳＳが前記装置において記憶された重複するＢＳＳ（ＯＢＳＳ）のリスト内における１つまたは複数のＯＢＳＳのうちの１つである場合に前記パケットの送信中に前記共有アクセス媒体上における送信のために別のパケットを出力することと
を行うように構成された少なくとも１つのプロセッサと、
前記少なくとも１つのプロセッサに結合されるメモリと
を備える、装置。
【請求項２】
前記少なくとも１つのプロセッサは、前記少なくとも１つの遅延関連パラメータに関連付けられた１つまたは複数のしきい値にさらに基づいて前記送信を遅延する、または前記別のパケットを出力するようにさらに構成される、請求項１に記載の装置。
【請求項３】
前記少なくとも１つの遅延関連パラメータは、前記パケットを送信したデバイスの部分的関連付け識別子（ＡＩＤ）、前記パケットの受信が意図されるデバイスの部分的ＡＩＤ、前記パケットの基本サービスセット識別子（ＢＳＳＩＤ）、前記パケットの送信電力のインジケーション、前記パケットがドロップされることができるかどうかのインジケーション、前記パケットのサービス品質（ＱｏＳ）のインジケーション、または前記装置が遅延すべき受信電力レベルのインジケーションのうちの少なくとも１つを備える、請求項１に記載の装置。
【請求項４】
前記少なくとも１つのプロセッサは、どの前記少なくとも１つの遅延関連パラメータを使用するかのインジケーションにさらに基づいて前記送信を遅延する、または前記別のパケットを出力するようにさらに構成される、請求項１に記載の装置。
【請求項５】
前記インジケーションは、ビーコン、プローブ応答、関連付け応答、または管理フレームのうちの少なくとも１つにおいて受信される、請求項４に記載の装置。
【請求項６】
前記少なくとも１つのプロセッサは、前記少なくとも１つの遅延関連パラメータおよび少なくとも１つの他のパラメータにさらに基づいて前記送信を遅延する、または前記別のパケットを出力するようにさらに構成される、請求項１に記載の装置。
【請求項７】
前記少なくとも１つの他のパラメータは、前記パケットの帯域幅、前記パケットの変調およびコーディングスキーム（ＭＣＳ）、前記パケットの持続時間、または前記パケットの受信信号強度インジケーション（ＲＳＳＩ）のうちの少なくとも１つを備える、請求項６に記載の装置。
【請求項８】
前記少なくとも１つのプロセッサは、部分的関連付け識別子（ＡＩＤ）に基づいて基本サービスセット（ＢＳＳ）の識別子を決定し、前記ＢＳＳの前記識別子にさらに基づいて遅延するか否かを決定するようにさらに構成される、請求項１に記載の装置。
【請求項９】
前記少なくとも１つのプロセッサは、前記装置が前記決定されたＢＳＳのメンバである場合に前記共有アクセス媒体上における送信を遅延することと、前記決定されたＢＳＳが１つまたは複数のＯＢＳＳのものである場合、および前記１つまたは複数のＯＢＳＳからのパケットの前記送信がエネルギーしきい値を下回る場合に、前記共有アクセス媒体上における送信のために前記別のパケットを出力することと、を行うようにさらに構成される、請求項１に記載の装置。
【請求項１０】
アンテナをさらに備え、ここにおいて、前記装置は、前記アンテナを介して前記少なくとも１つの遅延関連パラメータを取得するように構成され、１つまたは複数のＯＢＳＳからのパケットの送信中に前記共有アクセス媒体上において送信することは、前記アンテナを介して遂行され、前記装置は、局（ＳＴＡ）として構成される、請求項１に記載の装置。
【請求項１１】
前記処理システムは、前記装置が前記決定されたＢＳＳのメンバである場合にパケットの送信中に前記共有アクセス媒体上における送信を遅延するように構成される、請求項１に記載の装置。
【請求項１２】
ワイヤレス通信のための装置であって、
パケットの基本サービスセット（ＢＳＳ）を決定するための情報を含む、少なくとも１つの遅延関連パラメータを備える前記パケットを生成することと、
重複するＢＳＳ（ＯＢＳＳ）のリストをシグナリングする第１のメッセージを生成することと、
共有アクセス媒体上において受信された１つまたは複数のパケットがＯＢＳＳの前記リスト内における１つまたは複数のＯＢＳＳからのものである場合に別の装置が前記共有アクセス媒体上における送信を遅延するべきではないことを示す第２のメッセージを生成することと
を行うように構成された少なくとも１つのプロセッサと、
前記少なくとも１つのプロセッサに結合されるメモリと、
前記別の装置への送信のために前記パケット、前記第１のメッセージ、および前記第２のメッセージを出力するように構成されたインタフェースと
を備える、装置。
【請求項１３】
前記少なくとも１つの遅延関連パラメータは、前記パケットの物理レイヤ（ＰＨＹ）プリアンブル内に含まれる、請求項１２に記載の装置。
【請求項１４】
前記少なくとも１つのプロセッサは、決定する際に前記別の装置が使用するために前記少なくとも１つの遅延関連パラメータの１つまたは複数のしきい値をシグナリングする第３のメッセージを生成するようにさらに構成される、請求項１２に記載の装置。
【請求項１５】
前記少なくとも１つの遅延関連パラメータは、基本サービスセット（ＢＳＳ）の識別子、前記パケットの送信機の識別子、または前記パケットの受信機の識別子のうちの少なくとも１つを備える、請求項１２に記載の装置。
【請求項１６】
前記少なくとも１つの遅延関連パラメータは、前記パケットが遅延を必要とするかどうかのインジケーションまたは前記パケットのサービス品質（ＱｏＳ）のインジケーションのうちの少なくとも１つを備える、請求項１５に記載の装置。
【請求項１７】
前記少なくとも１つの遅延関連パラメータは、前記別の装置による前記遅延関連パラメータの受信後に前記別の装置が遅延することになっているのに等しいまたはそれを上回る受信電力レベルのインジケーションを備える、請求項１５に記載の装置。
【請求項１８】
前記少なくとも１つのプロセッサは、前記ＢＳＳの前記識別子に、少なくとも部分的に、基づいて部分的関連付け識別子（ＡＩＤ）を生成し、前記パケットのプリアンブル内において前記部分的ＡＩＤを含めるようにさらに構成される、請求項１５に記載の装置。
【請求項１９】
前記部分的ＡＩＤは、前記ＢＳＳの前記識別子として少なくともいくつかのビットを、および局（ＳＴＡ）識別子に対して少なくともいくつかのビットを有する、請求項１８に記載の装置。
【請求項２０】
前記ＳＴＡ識別子は、前記装置がアクセスポイント（ＡＰ）と通信している場合に前記装置のアドレスを備える、請求項１９に記載の装置。
【請求項２１】
前記ＳＴＡ識別子は、前記装置がアクセスポイント（ＡＰ）と通信している場合に前記ＡＰのアドレスを備える、請求項１９に記載の装置。
【請求項２２】
前記部分的ＡＩＤは、アップリンクとダウンリンクとを差別化するために使用されるべき少なくともいくつかのビットを有する、請求項１８に記載の装置。
【請求項２３】
前記部分的ＡＩＤの異なる値は、異なるＢＳＳを識別する、請求項１８に記載の装置。
【請求項２４】
前記少なくとも１つのプロセッサは、どのタイプの遅延関連パラメータが、送信されるパケット内において含まれるべきかをシグナリングする第３のメッセージを生成するようにさらに構成される、請求項１２に記載の装置。
【請求項２５】
前記インタフェースは、ビーコン、プローブ応答、関連付け応答、または管理フレームのうちの少なくとも１つを介した送信のために前記第３のメッセージを出力するようにさらに構成される、請求項２４に記載の装置。
【請求項２６】
前記インタフェースは、決定する際に前記別の装置によって使用されるべき１つまたは複数のルールに関する情報を提供するようにさらに構成される、請求項１２に記載の装置。
【請求項２７】
前記少なくとも１つのプロセッサは、基本サービスセット（ＢＳＳ）の重複していない識別子を決定するために１つまたは複数の他の装置と協調するようにさらに構成される、請求項１２に記載の装置。
【請求項２８】
アンテナをさらに備え、ここにおいて、前記装置は、前記アンテナを介して前記出力されたパケットを送信するように構成され、ここにおいて、前記装置は、アクセスポイント（ＡＰ）として構成される、請求項１２に記載の装置。
【請求項２９】
装置によるワイヤレス通信のための方法であって、
共有アクセス媒体上において送信されたパケットの一部から少なくとも１つの遅延関連パラメータを取得することと、
前記少なくとも１つの遅延関連パラメータに、少なくとも部分的に、基づいて前記パケットに関連付けられた基本サービスセット（ＢＳＳ）を決定することと、
前記決定されたＢＳＳが前記装置において記憶された重複するＢＳＳ（ＯＢＳＳ）のリスト内における１つまたは複数のＯＢＳＳのうちの１つである場合に前記パケットの送信中に前記共有アクセス媒体上において送信することと
を備える、方法。
【請求項３０】
ワイヤレス通信のための方法であって、
少なくとも１つの遅延関連パラメータを備えるパケットを生成することと、
重複するＢＳＳ（ＯＢＳＳ）のリストをシグナリングする第１のメッセージを生成することと、
共有アクセス媒体上において受信された１つまたは複数のパケットがＯＢＳＳの前記リスト内における１つまたは複数のＯＢＳＳからのものである場合に別の装置が前記共有アクセス媒体上における送信を遅延するべきではないことを示す第２のメッセージを生成することと、
前記別の装置への送信のために前記パケット、前記第１のメッセージ、および前記第２のメッセージを出力することと
を備える、方法。
【発明の詳細な説明】
【関連出願の相互参照】
【０００１】
[0001]本出願は、２０１３年９月１８日に出願された、米国仮特許出願第６１／８７９，５７２号の利益を主張し、その全体が参照により本明細書に組み込まれる。
【技術分野】
【０００２】
[0002]本開示の態様は概して、ワイヤレス通信に関し、より具体的には、基本サービスセット識別子（ＢＳＳＩＤ）情報に基づく遅延のためのシステム、方法、およびデバイスに関する。
【背景技術】
【０００３】
[0003]多くの電気通信システムにおいて、通信ネットワークは、いくつかの相互作用する空間的に隔てられたデバイス間でメッセージを交換するために使用されている。ネットワークは、地理的範囲にしたがって分類されえ、それは、例えば、メトロポリタンエリア、ローカルエリア、またはパーソナルエリアであることができる。そのようなネットワークは、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）としてそれぞれ指定されるであろう。ネットワークはまた、様々なネットワークノードおよびデバイスを相互接続するために使用される交換／ルーティング技法（例えば、回線交換対パケット交換）、送信のために用いられる物理媒体のタイプ（例えば、ワイヤード対ワイヤレス）、および使用される通信プロトコルのセット（例えば、インターネットプロトコルスイート、ＳＯＮＥＴ（同期型光ネットワーキング）、イーサネット（登録商標）、等）にしたがって異なる。
【０００４】
[0004]ワイヤレスネットワークは、ネットワーク要素が移動式であり、これにより、動的接続性のニーズを有する場合、またはネットワークアーキテクチャが、固定式というよりはむしろ、アドホックのトポロジにおいて形成される場合に好まれることが多い。ワイヤレスネットワークは、無線、マイクロ波、赤外線、光、等の周波数帯域内における電磁波を使用して無誘導伝搬モード（unguided propagation mode）で無形物理媒体を用いる。ワイヤレスネットワークは、固定されたワイヤードネットワークと比較するとユーザモビリティおよび高速なフィールド展開を有利に促進する。
【発明の概要】
【０００５】
[0005]本開示のシステム、方法、およびデバイスは各々、いくつかの態様を有し、これらのうちのいずれも、その望ましい属性を単独で担うものではない。後続する特許請求の範囲によって表される本開示の範囲を限定することなしに、ここでいくつかの特徴が簡潔に論述される。本論述を考慮した後、特に「詳細な説明」と題されたセクションを読んだ後、当業者は、本開示の特徴がワイヤレスネットワーク内におけるアクセスポイントと局との間での改善された通信を含む利点をどのように提供するかを理解するであろう。
【０００６】
[0006]本開示のある特定の態様は、ワイヤレス通信のための装置を提供する。装置は概して、共有アクセス媒体上において送信されたパケットから少なくとも１つの遅延関連パラメータを取得することと、少なくとも１つの遅延関連パラメータに、少なくとも部分的に、基づいて共有アクセス媒体上における送信を遅延するかどうかを決定することとを行うように構成された処理システムを含む。
【０００７】
[0007]本開示のある特定の態様は、ワイヤレス通信のための装置を提供する。装置は概して、他の装置が共有アクセス媒体上において送信することを遅延すべきか否かを決定するために別の装置によって使用されるべき少なくとも１つの遅延関連パラメータを備えるパケットを生成することと、他の装置にパケットを提供することとを行うように構成された処理システムと、他の装置への送信のためにパケットを出力するように構成されたインタフェースとを含む。
【０００８】
[0008]本開示のある特定の態様は、ワイヤレス通信のための装置を提供する。装置は概して、共有アクセス媒体上において送信されたパケットから少なくとも１つの遅延関連パラメータを取得するための手段と、少なくとも１つの遅延関連パラメータに、少なくとも部分的に、基づいて共有アクセス媒体上における送信を遅延するかどうかを決定するための手段とを含む。
【０００９】
[0009]本開示のある特定の態様は、ワイヤレス通信のための装置を提供する。装置は概して、他の装置が共有アクセス媒体上において送信することを遅延すべきか否かを決定するために別の装置によって使用されるべき少なくとも１つの遅延関連パラメータを備えるパケットを生成するための手段と、他の装置への送信のためにパケットを出力するための手段とを含む。
【００１０】
[0010]本開示のある特定の態様は、ワイヤレス通信のための方法を提供する。方法は概して、共有アクセス媒体上において送信されたパケットから少なくとも１つの遅延関連パラメータを取得することと、少なくとも１つの遅延関連パラメータに、少なくとも部分的に、基づいて共有アクセス媒体上における送信を遅延するかどうかを決定することとを含む。
【００１１】
[0011]本開示のある特定の態様は、ワイヤレス通信のための方法を提供する。方法は概して、他の装置が共有アクセス媒体上において送信することを遅延すべきか否かを決定するために別の装置によって使用されるべき少なくとも１つの遅延関連パラメータを備えるパケットを生成することと、他の装置にパケットを提供することと、他の装置への送信のためにパケットを出力することとを含む。
【００１２】
[0012]本開示のある特定の態様は、ワイヤレス通信のためのコンピュータプログラム製品を提供する。コンピュータプログラム製品は概して、命令を記憶したコンピュータ可読媒体を含み、命令は、共有アクセス媒体上において送信されたパケットから少なくとも１つの遅延関連パラメータを取得することと、少なくとも１つの遅延関連パラメータに、少なくとも部分的に、基づいて共有アクセス媒体上における送信を遅延するかどうかを決定することとを行うために装置によって実行可能である。
【００１３】
[0013]本開示のある特定の態様は、ワイヤレス通信のためのコンピュータプログラム製品を提供する。コンピュータプログラム製品は概して、命令を記憶したコンピュータ可読媒体を含み、命令は、他の装置が共有アクセス媒体上において送信することを遅延すべきか否かを決定するために別の装置によって使用されるべき少なくとも１つの遅延関連パラメータを備えるパケットを生成することと、他の装置にパケットを提供することと、他の装置への送信のためにパケットを出力することとを行うために装置によって実行可能である。
【００１４】
[0014]本開示のある特定の態様は、ワイヤレスノードを提供する。ワイヤレスノードは概して、共有アクセス媒体上において、少なくとも１つの遅延関連パラメータを有するパケットを受信するように構成された受信機と、遅延関連パラメータに、少なくとも部分的に、基づいて共有アクセス媒体上における送信を遅延するかどうかを決定するように構成された処理システムとを含む。
【００１５】
[0015]本開示のある特定の態様は、ワイヤレスノードを提供する。ワイヤレスノードは概して、共有アクセス媒体上において送信することを遅延するか否かを決定する際に受信デバイスが使用するために少なくとも１つの遅延関連パラメータを有するパケットを生成するように構成された処理システムと、共有アクセス媒体上においてパケットを送信するように構成された送信機とを含む。
【００１６】
[0016]方法、装置、システム、コンピュータプログラム製品、および処理システムを含む、数多くの他の態様が提供される。
【００１７】
[0017]本開示の上記された特徴が詳細に理解されることができるように、上記において簡潔に要約されたより詳細な説明が態様への参照によりなされえ、それらのうちのいくつかは、添付された図面内において例示される。しかしながら、添付された図面は、本開示のある特定の典型的な態様のみを例示しており、したがって、その説明が他の同等に効果的な態様を認めうることから、その範囲を限定するものと考慮されるべきではないことに留意されたい。
【図面の簡単な説明】
【００１８】
【図１】本開示のある特定の態様にしたがって、本開示の態様が用いられうる例証的なワイヤレス通信システムを例示する。
【図２Ａ】本開示のある特定の態様にしたがって、多数のワイヤレス通信ネットワークが存在する例証的なワイヤレス通信システムを例示する。
【図２Ｂ】本開示のある特定の態様にしたがって、多数のワイヤレス通信ネットワークが存在する例証的なワイヤレス通信システムを例示する。
【図３】本開示のある特定の態様にしたがって、図１および２Ｂのワイヤレス通信システム内において用いられうる実例的な周波数多重化技法を例示する。
【図４】本開示のある特定の態様にしたがって、図１、２Ｂ、および３のワイヤレス通信システム内において用いられうる例証的なワイヤレスデバイスの機能ブロック図を例示する。
【図５】本開示のある特定の態様にしたがって、ワイヤレス通信に関する実例的な動作を例示する。
【図５Ａ】本開示のある特定の態様にしたがって、図５内において示された動作を遂行することが可能である実例的なコンポーネントを例示する。
【図６】本開示のある特定の態様にしたがって、ワイヤレス通信に関する実例的な動作を例示する。
【図６Ａ】本開示のある特定の態様にしたがって、図６内において示された動作を遂行することが可能である実例的なコンポーネントを例示する。
【詳細な説明】
【００１９】
[0027]本開示の態様は概して、ワイヤレス通信に関し、より具体的には、基本サービスセット識別子（ＢＳＳＩＤ）情報に基づく遅延のためのシステム、方法、およびデバイスに関する。例えば、ＢＳＳＩＤ情報は、局識別子とともにパケット内に含まれることができる。ある特定の態様によると、パケットの宛先および／またはソースに依存して異なる遅延ルールが適用されうる（例えば、同じ基本サービスセット（ＢＳＳ）内からのものであるかまたは重複するＢＳＳ（ＯＢＳＳ）からのものであるかどうか）。ある特定の態様によると、異なる遅延ルールは、アクセスポイント（ＡＰ）が時間および／または周波数で協調されているか、あるいは協調されていないかどうかに基づいて適用されうる。
【００２０】
[0028]新規のシステム、装置、および方法の様々な態様が、添付図面を参照して以下により十分に説明される。本開示は、しかしながら、多くの異なる形式で具現化されうるものであり、本開示全体を通して提示される任意の特定の構成または機能に限定されるものとして解釈されるべきではない。むしろ、これらの態様は、本開示を徹底的かつ完全なものとし、本開示の範囲を当業者に十分に伝達するように提供される。本明細書における教示に基づいて、当業者は、本開示の範囲が、本開示の任意の他の態様とは独立して、または組み合わされてインプリメントされようと、本明細書において開示される新規のシステム、装置、および方法の任意の態様をカバーするように意図されていることを理解すべきである。例えば、本明細書において記載されている任意の数の態様を使用して、装置がインプリメントされうる、または方法が実施されうる。加えて、本開示の範囲は、本明細書において記載されている開示の様々な態様に加えて、またはそれ以外の、他の構造、機能性、あるいは構造および機能性を使用して実施されるそのような装置または方法をカバーするように意図されている。本明細書において開示される任意の態様が、請求項の１つまたは複数の要素によって具現化されうることが理解されるべきである。
【００２１】
[0029]特定の態様が本明細書において説明されるが、これらの態様の多くの変形および置換が、本開示の範囲内に含まれる。好ましい態様のいくつかの利益および利点が述べられるが、本開示の範囲は、特定の利益、使用、または目的に限定されるように意図されるものではない。むしろ、本開示の態様は、異なるワイヤレス技術、システム構成、ネットワーク、および送信プロトコルに広く適用可能であるように意図されており、そのうちのいくつかは、図面内および好ましい態様の以下の説明内において例として例示される。詳細な説明および図面は単に、限定というよりはむしろ本開示の例示であり、本開示の範囲は、添付された特許請求の範囲およびそれらの同等物によって定義されている。
【００２２】
[0030]ポピュラーなワイヤレスネットワーク技術は、様々なタイプのワイヤレスローカルエリアネットワーク（ＷＬＡＮ）を含みうる。ＷＬＡＮは、広く使用されるネットワーキングプロトコルを用いて、近くのデバイスを共に相互接続するために使用されうる。本明細書において説明される様々な態様は、ワイヤレスプロトコルのような、任意の通信規格に適用されうる。
【００２３】
[0031]いくつかの態様において、ワイヤレス信号は、直交周波数分割多重化（ＯＦＤＭ）、直接シーケンススペクトル拡散（ＤＳＳＳ：direct-sequence spread spectrum）通信、ＯＦＤＭおよびＤＳＳＳ通信の組み合わせ、または他のスキームを使用して、高効率８０２．１１プロトコルにしたがって送信されうる。高効率８０２．１１プロトコルのインプリメンテーションは、インターネットアクセス、センサ、メータリング（metering）、スマートグリッドネットワーク、または他のワイヤレスアプリケーションに対して使用されうる。有利なことに、本明細書において開示される技法を使用して高効率８０２．１１プロトコルをインプリメントするある特定のデバイスの態様は、同じエリア内において増加したピアツーピアサービス（例えば、Ｍｉｒａｃａｓｔ、ＷｉＦｉ Ｄｉｒｅｃｔサービス、Ｓｏｃｉａｌ ＷｉＦｉ、等）を可能にすること、増加したユーザごとの最小スループット要件をサポートすること、より多くのユーザをサポートすること、改善された屋外カバレッジおよびロバストネス（robustness）を提供すること、および／または他のワイヤレスプロトコルをインプリメントするデバイスよりも少ない電力を消費することを含みうる。
【００２４】
[0032]いくつかのインプリメンテーションにおいて、ＷＬＡＮは、ワイヤレスネットワークにアクセスするコンポーネントである様々なデバイスを含む。例えば、アクセスポイント（「ＡＰ」）と（局、または「ＳＴＡ」とも呼ばれる）クライアントとの２つのタイプのデバイスが存在しうる。一般に、ＡＰは、ＷＬＡＮのためのハブまたは基地局としての役割を果たし、ＳＴＡは、ＷＬＡＮのユーザとしての役割を果たす。例えば、ＳＴＡは、ラップトップコンピュータ、携帯情報端末（ＰＤＡ）、モバイル電話、等でありうる。例において、ＳＴＡは、インターネットにまたは他のワイドエリアネットワークに対する一般的な接続性を取得するためにワイヤレスリンクに準拠したＷｉＦｉ(例えば、ＩＥＥＥ８０２．１１プロトコル)を介してＡＰに接続する。いくつかのインプリメンテーションにおいて、ＳＴＡはまた、ＡＰとして使用されうる。
【００２５】
[0033]アクセスポイント（「ＡＰ」）は、また、ノードＢ、無線ネットワークコントローラ（「ＲＮＣ」）、ｅノードＢ、基地局コントローラ（「ＢＳＣ」）、ベーストランシーバ基地局（「ＢＴＳ」）、基地局（「ＢＳ」）、トランシーバ機能（「ＴＦ」）、無線ルータ、無線トランシーバ、または何らかの他の用語を備え、それらとしてインプリメントされ、またはそれらとして知られうる。
【００２６】
[0034]局「ＳＴＡ」はまた、アクセス端末（「ＡＴ」）、加入者局、加入者ユニット、モバイル局、遠隔局、遠隔端末、ユーザ端末、ユーザエージェント、ユーザデバイス、ユーザ機器、または何らかの他の用語を備え、それらとしてインプリメントされ、またはそれらとして知られうる。いくつかのインプリメンテーションにおいて、アクセス端末は、セルラ電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適した処理デバイスを備えうる。それ故に、本明細書において教示される１つまたは複数の態様は、電話（例えば、セルラ電話またはスマートフォン）、コンピュータ（例えば、ラップトップ）、ポータブル通信デバイス、ヘッドセット、ポータブル計算デバイス（例えば、携帯情報端末）、エンターテインメントデバイス（例えば、音楽または映像デバイス、または衛星ラジオ）、ゲーミングデバイスまたはシステム、全地球測位システムデバイス、またはワイヤレス媒体を介して通信するように構成された任意の他の適切なデバイス内に組み込まれうる。
【００２７】
[0035]上述されたように、本明細書において説明されるデバイスのうちのある特定のものは、例えば、高効率８０２．１１規格をインプリメントしうる。そのようなデバイスは、ＳＴＡまたはＡＰあるいは他のデバイスとして使用されるかどうかにかかわらず、スマートメータリングに対して、またはスマートグリッドネットワーク内において使用されうる。そのようなデバイスは、センサアプリケーションを提供しうる、またはホームオートメーションにおいて使用されうる。デバイスは代替としてまたは加えて、例えば、パーソナルヘルスケアのために、ヘルスケアコンテキストにおいて使用されうる。これらはまた、（例えば、ホットスポットとともに使用するための）拡張された範囲のインターネット接続性を可能にするために、またはマシンツーマシン通信をインプリメントするために、監視（surveillance）のために使用されうる。
実例的なワイヤレス通信システム
【００２８】
[0036]図１は、本開示のある特定の態様にしたがって、本開示の態様が用いられうる例証的なワイヤレス通信システム１００を例示する。ワイヤレス通信システム１００は、ワイヤレス規格、例えば高効率８０２．１１規格に準じて動作しうる。ワイヤレス通信システム１００は、ＡＰ１０４を含みうるが、ＡＰ１０４は、ＳＴＡ１０６と通信する。
【００２９】
[0037]様々な処理および方法が、ＡＰ１０４とＳＴＡ１０６との間でのワイヤレス通信システム１００内における送信のために使用されうる。例えば、信号は、ＯＦＤＭ／ＯＦＤＭＡ技法にしたがって、ＡＰ１０４とＳＴＡ１０６との間で送られ、受信されうる。この場合、ワイヤレス通信システム１００は、ＯＦＤＭ／ＯＦＤＭＡシステムと呼ばれうる。代替として、信号は、符号分割多元接続（ＣＤＭＡ）技法にしたがってＡＰ１０４とＳＴＡ１０６との間で送られ、受信されうる。この場合、ワイヤレス通信システム１００は、ＣＤＭＡシステムと呼ばれうる。
【００３０】
[0038]ＡＰ１０４からＳＴＡ１０６のうちの１つまたは複数ヘの送信を容易にする通信リンクは、ダウンリンク（ＤＬ）１０８と呼ばれ、ＳＴＡ１０６のうちの１つまたは複数からＡＰ１０４への送信を容易にする通信リンクは、アップリンク（ＵＬ）１１０と呼ばれうる。代替として、ダウンリンク１０８は、順方向リンクまたは順方向チャネルと呼ばれ、アップリンク１１０は、逆方向リンクまたは逆方向チャネルと呼ばれうる。
[0039]ＡＰ１０４は、基地局として機能し、基本サービスエリア（ＢＳＡ）１０２内においてワイヤレス通信カバレッジを提供しうる。ＡＰ１０４に関連付けられ、通信のためにＡＰ１０４を使用するＳＴＡ１０６とともにＡＰ１０４は、基本サービスセット（ＢＳＳ）と呼ばれうる。ワイヤレス通信システム１００は、中央ＡＰ１０４を有さない可能性があるが、むしろＳＴＡ１０６間でのピアツーピアネットワークとして機能しうることに留意されたい。それ故に、本明細書において説明されるＡＰ１０４の機能は代替として、ＳＴＡ１０６のうちの１つまたは複数によって遂行されうる。
【００３１】
[0040]いくつかの態様において、ＳＴＡ１０６は、ＡＰ１０４に通信を送るおよび／またはＡＰ１０４から通信を受信するために、ＡＰ１０４に関連付けるように要求されうる。一態様において、関連付けるための情報は、ＡＰ１０４によるブロードキャスト内に含まれる。そのようなビーコンを受信するために、ＳＴＡ１０６は、例えば、カバレッジ領域にわたって広範囲のカバレッジサーチを遂行しうる。サーチはまた、例えば、灯台のような形式でカバレッジ領域をスイープする（sweeping a coverage region in a lighthouse fashion）ことによってＳＴＡ１０６によって遂行されうる。関連付けるための情報を受信した後、ＳＴＡ１０６は、関連付けプローブまたは要求のような、基準信号をＡＰ１０４に送信しうる。いくつかの態様において、ＡＰ１０４は、例えば、インターネットまたは公共交換電話網（ＰＳＴＮ）のような、より大きなネットワークと通信するためにバックホールサービスを使用しうる。
【００３２】
[0041]実施形態において、ＡＰ１０４は、ＡＰ高効率ワイヤレスコンポーネント（ＨＥＷＣ：high-efficiency wireless component）１５４を含む。ＡＰ ＨＥＷＣ１５４は、高効率８０２．１１プロトコルを使用してＡＰ１０４とＳＴＡ１０６との間での通信を可能にするために本明細書において説明される動作のうちのいくつかまたは全てを遂行しうる。ＡＰ ＨＥＷＣ１５４の機能性は、図２Ｂ、３、４、および５に関して以下においてより詳細に説明される。
【００３３】
[0042]代替としてまたは加えて、ＳＴＡ１０６は、ＳＴＡ ＨＥＷＣ１５６を含みうる。ＳＴＡ ＨＥＷＣ１５６は、高周波数８０２．１１プロトコルを使用してＳＴＡ１０６とＡＰ１０４との間での通信を可能にするために本明細書において説明される動作のうちのいくつかまたは全てを遂行しうる。ＳＴＡ ＨＥＷＣ１５６の機能性は、図２−６Ａに関して以下においてより詳細に説明される。
【００３４】
[0043]いくつかの状況において、ＢＳＡは、他のＢＳＡの近くに位置付けられうる。例えば、図２Ａは、本開示のある特定の態様にしたがって、多数のワイヤレス通信ネットワークが存在するワイヤレス通信システム２００を示す。図２Ａ内において例示されるように、ＢＳＡ２０２Ａ、２０２Ｂ、および２０２Ｃは、互いの近くに物理的に位置付けられうる。ＢＳＡ２０２Ａ−Ｃの近接にもかかわらず、ＡＰ２０４Ａ−Ｃおよび／またはＳＴＡ２０６Ａ−Ｈは、同じスペクトルを使用して各々通信しうる。このように、ＢＳＡ２０２Ｃ内におけるデバイス（例えば、ＡＰ２０４Ｃ）がデータを送信している場合、ＢＳＡ２０２Ｃの外部のデバイス（例えば、ＡＰ２０４Ａ−Ｂ、またはＳＴＡ２０６Ａ−Ｆ）は、媒体上において通信を感知しうる。
【００３５】
[0044]一般に、通常の８０２．１１プロトコル（例えば、８０２．１１ａ、８０２．１１ｂ、８０２．１１ｇ、８０２．１１ｎ、等）を使用するワイヤレスネットワークは、媒体アクセスに関する搬送波感知多重アクセス（ＣＳＭＡ）メカニズム下において動作する。ＣＳＭＡによると、デバイスは、媒体を感知し、媒体がアイドルであると感知される場合にのみ送信する。このように、ＡＰ２０４Ａ−Ｃおよび／またはＳＴＡ２０６Ａ−ＨがＣＳＭＡメカニズムにしたがって動作しており、ＢＳＡ２０２Ｃ内におけるデバイス（例えば、ＡＰ２０４Ｃ）がデータを送信している場合、ＢＳＡ２０２Ｃの外部のＡＰ２０４Ａ−Ｂおよび／またはＳＴＡ２０６Ａ−Ｆは、それらが異なるＢＳＡの一部であるにもかかわらず媒体を介して送信しない（not transmit over the medium）可能性がある。
【００３６】
[0045]図２Ａは、そのような状況を例示する。図２Ａ内において例示されるように、ＡＰ２０４Ｃは、媒体を介して送信している。送信は、ＡＰ２０４Ｃと同じＢＳＡ２０２Ｃ内に存在する、ＳＴＡ２０６Ｇによって、およびＡＰ２０４Ｃとは異なるＢＳＡ内に存在する、ＳＴＡ２０６Ａによって感知される。送信がＳＴＡ２０６Ｇおよび／またはＢＳＡ２０２Ｃ内における唯一のＳＴＡに宛てられうる一方、ＳＴＡ２０６Ａはそれにもかかわらず、ＡＰ２０４Ｃ（および任意の他のデバイス）がもはや媒体上において送信しなくなるまで（例えば、ＡＰ２０４ＡにまたはＡＰ２０４Ａから）通信を送信または受信することができない可能性がある。示されてはいないが、（例えば、ＡＰ２０４Ｃによる送信が、他のＳＴＡが媒体上において送信を感知することができるようにより強い場合）同じことがＢＳＡ２０２Ｂ内におけるＳＴＡ２０６Ｄ−Ｆおよび／またはＢＳＡ２０２Ａ内におけるＳＴＡ２０６Ｂ−Ｃにも適用されうる。
【００３７】
[0046]ＣＳＭＡメカニズムの使用は、よって、ＢＳＡの外部のいくつかのＡＰまたはＳＴＡがＢＳＡ内におけるＡＰまたはＳＴＡによって行われた送信に干渉することなしにデータを送信することが可能でありうることから非効率性をもたらす。アクティブなワイヤレスデバイスの数が増大し続けるにつれて、非効率性は、ネットワークレイテンシおよびスループットに有意に影響し始めうる。例えば、有意なネットワークレイテンシの問題は、アパートメントビルディング内において現れうるが、その内部において各アパートメントユニットは、アクセスポイントおよび関連付けられた局を含みうる。実際には、各アパートメントユニットは、居住者がワイヤレスルータ、ワイヤレスメディアセンタ能力を有するビデオゲームコンソール、ワイヤレスメディアセンタ能力を有するテレビ、および／または、パーソナルホットスポットのように機能することができる携帯電話等を所有している可能性があることから、多数のアクセスポイントを含みうる。ＣＳＭＡメカニズムの非効率性を修正することは、よって、レイテンシおよびスループットの問題と全体的なユーザの不満を避けるために不可欠でありうる。
【００３８】
[0047]そのようなレイテンシおよびスループットの問題は、実のところ住宅地に限られない可能性がある。例えば、多数のアクセスポイントは、空港、地下鉄の駅、および／または他の人が密集した公共スペース内において位置付けられうる。現在、ＷｉＦｉアクセスは、これらの公共スペース内において提供されうるが、料金がかかる。ＣＳＭＡメカニズムによってもたらされた非効率性が修正されない場合、ワイヤレスネットワークのオペレータは、料金およびより低いサービス品質が任意の利益を上回り始めるにつれて顧客を失いかねない。
【００３９】
[0048]それ故に、本明細書において説明される高効率８０２．１１プロトコルは、デバイスが、これらの非効率性を最小化し、ネットワークスループットを増加させる修正されたメカニズム下において動作することを可能にしうる。そのようなメカニズムは、図２Ｂ、３、および４に関して以下において説明される。高効率８０２．１１プロトコルの追加の態様は、図５−９に関して以下において説明される。
【００４０】
[0049]図２Ｂは、本開示のある特定の態様にしたがって、多数のワイヤレス通信ネットワークが存在するワイヤレス通信システム２５０を例示する。図２Ａのワイヤレス通信システム２００とは異なり、ワイヤレス通信システム２５０は、本明細書において論述される高効率８０２．１１規格に準じて動作しうる。ワイヤレス通信システム２５０は、ＡＰ２５４Ａ、ＡＰ２５４Ｂ、およびＡＰ２５４Ｃを含みうる。ＡＰ２５４Ａは、ＳＴＡ２５６Ａ−Ｃと通信し、ＡＰ２５４Ｂは、ＳＴＡ２５６Ｄ−Ｆと通信し、ＡＰ２５４Ｃは、ＳＴＡ２５６Ｇ−Ｈと通信しうる。
【００４１】
[0050]様々な処理および方法が、ＡＰ２５４Ａ−ＣとＳＴＡ２５６Ａ−Ｈとの間でのワイヤレス通信システム２５０内における送信のために使用されうる。例えば、信号は、ＯＦＤＭ／ＯＦＤＭＡ技法またはＣＤＭＡ技法にしたがって、ＡＰ２５４Ａ−ＣとＳＴＡ２５６Ａ−Ｈとの間で送られ、受信されうる。
【００４２】
[0051]ＡＰ２５４Ａは、基地局として機能し、ＢＳＡ２５２Ａ内においてワイヤレス通信カバレッジを提供しうる。ＡＰ２５４Ｂは、基地局として機能し、ＢＳＡ２５２Ｂ内においてワイヤレス通信カバレッジを提供しうる。ＡＰ２５４Ｃは、基地局として機能し、ＢＳＡ２５２Ｃ内においてワイヤレス通信カバレッジを提供しうる。各ＢＳＡ２５２Ａ、２５２Ｂ、および／または２５２Ｃは、中央ＡＰ２５４Ａ、２５４Ｂ、または２５４Ｃを有さない可能性があるが、むしろＳＴＡ２５６Ａ−Ｈのうちの１つまたは複数の間でのピアツーピア通信を可能にしうることに留意されたい。それ故に、本明細書において説明されるＡＰ２５４Ａ−Ｃの機能は代替として、ＳＴＡ２５６Ａ−Ｈのうちの１つまたは複数によって遂行されうる。
【００４３】
[0052]ある特定の態様によると、ＡＰ２５４Ａ−Ｃおよび／またはＳＴＡ２５６Ａ−Ｈは、高効率ワイヤレスコンポーネントを含む。本明細書において説明されるように、高効率ワイヤレスコンポーネントは、高効率８０２．１１プロトコルを使用してＡＰとＳＴＡとの間での通信を可能にしうる。特に、高効率ワイヤレスコンポーネントは、ＡＰ２５４Ａ−Ｃおよび／またはＳＴＡ２５６Ａ−Ｈが、ＣＳＭＡメカニズムの非効率性を最小化する修正されたメカニズムを使用することを可能にしうる（例えば、干渉が起こらないであろう状況において媒体を介した同時通信を可能にする）。高効率ワイヤレスコンポーネントは、図４に関して以下においてより詳細に説明される。
【００４４】
[0053]図２Ｂ内において例示されるように、ＢＳＡ２５２Ａ−Ｃは、互いの近くに物理的に位置付けられうる。例えば、ＡＰ２５４ＡとＳＴＡ２５６Ｂとが互いに通信している場合、通信は、ＢＳＡ２５２Ｂ−Ｃ内における他のデバイスによって感知されうる。しかしながら、通信は、ＳＴＡ２５６Ｆおよび／またはＳＴＡ２５６Ｇのような、ある特定のデバイスにのみ干渉しうる。ＣＳＭＡ下において、ＡＰ２５４Ｂは、そのような通信はＡＰ２５４ＡとＳＴＡ２５６Ｂとの間での通信に干渉しないであろうにもかかわらずＳＴＡ２５６Ｅと通信することを可能にされないであろう。このように、高効率８０２．１１プロトコルは、同時に通信することができるデバイスと同時に通信することができないデバイスとを区別する修正されたメカニズム下において動作する。そのようなデバイスの分類は、ＡＰ２５４Ａ−Ｃおよび／またはＳＴＡ２５６Ａ−Ｈ内における高効率ワイヤレスコンポーネントによって遂行されうる。
【００４５】
[0054]ある特定の態様によると、デバイスが他のデバイスと同時に通信することができるかどうかの決定は、デバイスのロケーションに基づく。例えば、ＢＳＡの端の近くに位置付けられたＳＴＡは、ＳＴＡが他のデバイスと同時に通信することができないような状態または条件にありうる。図２Ｂ内において例示されるように、ＳＴＡ２０６Ａ、２０６Ｆ、および２０６Ｇは、他のデバイスと同時に通信することができないような状態または条件にあるデバイスでありうる。同様に、ＢＳＡの中央の近くに位置付けられたＳＴＡは、ＳＴＡが他のデバイスと同時に通信することができるような局または条件にありうる。図２内において例示されるように、ＳＴＡ２０６Ｂ、２０６Ｃ、２０６Ｄ、２０６Ｅ、および２０６Ｈは、他のデバイスと同時に通信することができるような状態または条件にあるデバイスでありうる。デバイスの分類が永続的ではないことに留意されたい。デバイスは、同時に通信することができるような状態または条件にあることと、同時に通信することができないような状態または条件にあることとの間で遷移しうる（例えば、デバイスは、動いている場合、新しいＡＰに関連付ける場合、関連付けを断つ（disassociating）場合、等において状態または条件を変更しうる）。
【００４６】
[0055]さらに、デバイスは、他のデバイスと同時に通信する状態または条件にある、あるいはないものであるかどうかに基づいて異なって挙動するように構成されうる。例えば、同時に通信することができるような状態または条件にあるデバイスは、同じスペクトル内において通信しうる。しかしながら、同時に通信することができないような状態または条件にあるデバイスは、媒体を介して通信するために、空間多重化または周波数ドメイン多重化のような、ある特定の技法を用いうる。デバイスの挙動の制御は、ＡＰ２５４Ａ−Ｃおよび／またはＳＴＡ２５６Ａ−Ｈ内における高効率ワイヤレスコンポーネントによって遂行されうる。
【００４７】
[0056]ある特定の態様によると、同時に通信することができないような状態または条件にあるデバイスは、媒体を介して通信するために空間多重化技法を使用する。例えば、電力および／または他の情報は、別のデバイスによって送信されたパケットのプリアンブル内に埋め込まれうる。デバイスが同時に通信することができないような状態または条件にあるデバイスは、パケットが媒体上において感知された場合にプリアンブルを分析し、ルールのセットに基づいて送信するか否かを決定しうる。
【００４８】
[0057]ある特定の態様によると、同時に通信することができないような状態または条件にあるデバイスは、媒体を介して通信するために周波数ドメイン多重化技法を使用する。図３は、本開示のある特定の態様にしたがって、図１のワイヤレス通信システム１００および図２Ｂのワイヤレスシステム２５０内において用いられうる実例的な周波数多重化技法を例示する。図３内において例示されるように、ＡＰ３０４Ａ、３０４Ｂ、３０４Ｃ、および３０４Ｄは、ワイヤレス通信システム３００内に存在しうる。ＡＰ３０４Ａ、３０４Ｂ、３０４Ｃ、および３０４Ｄの各々は、異なるＢＳＡに関連付けられ、本明細書において説明される高効率ワイヤレスコンポーネントを含みうる。
【００４９】
[0058]例として、通信媒体の帯域幅は、８０ＭＨｚでありうる。通常の８０２．１１プロトコル下において、ＡＰ３０４Ａ、３０４Ｂ、３０４Ｃ、および３０４Ｄの各々と各それぞれのＡＰに関連付けられたＳＴＡとは、帯域幅全体を使用して通信するように試みるが、それは、スループットを低減することができる。しかしながら、周波数ドメイン多重化を使用する高効率８０２．１１プロトコル下において、帯域幅は、図３内において例示されるように、４つの２０ＭＨｚセグメント３０８、３１０、３１２、および３１４（例えば、チャネル）に分割されうる。ＡＰ３０４Ａは、セグメント３０８に関連付けられ、ＡＰ３０４Ｂは、セグメント３１０に関連付けられ、ＡＰ３０４Ｃは、セグメント３１２に関連付けられ、ＡＰ３０４Ｄは、セグメント３１４に関連付けられうる。
【００５０】
[0059]実施形態において、ＡＰ３０４Ａ−Ｄと、ＳＴＡが他のデバイス（例えば、ＢＳＡの中央の近くのＳＴＡ）と同時に通信することができるような状態または条件にあるＳＴＡとが互いに通信している場合、各ＡＰ３０４Ａ−ＤとこれらのＳＴＡの各々とは、８０ＭＨｚ媒体の一部または全体を使用して通信しうる。しかしながら、ＡＰ３０４Ａ−Ｄと、ＳＴＡが他のデバイス（例えば、ＢＳＡの端の近くのＳＴＡ）と同時に通信することができないような状態または条件にあるＳＴＡとが互いに通信している場合、ＡＰ３０４ＡおよびそのＳＴＡは、２０ＭＨｚセグメント３０８を使用して通信し、ＡＰ３０４ＢおよびそのＳＴＡは、２０ＭＨｚセグメント３１０を使用して通信し、ＡＰ３０４ＣおよびそのＳＴＡは、２０ＭＨｚ３１２を使用して通信し、ＡＰ３０４ＤおよびそのＳＴＡは、２０ＭＨｚセグメント３１４を使用して通信する。セグメント３０８、３１０、３１２、および３１４が通信媒体の異なる部分であることから、第１のセグメントを使用する第１の送信は、第２のセグメントを使用する第２の送信に干渉しないであろう。
【００５１】
[0060]このように、ＡＰおよび／またはＳＴＡは、１１ａｃまたはより古いプロトコルにしたがう場合に他のデバイスと同時に通信することができないような状態または条件にあるものであっても、それらが高効率ワイヤレスコンポーネントを含む場合、それらは、干渉なしに他のＡＰおよびＳＴＡと同時に通信することができる。それ故に、ワイヤレス通信システム３００のスループットは、増加しうる。アパートメントビルディングまたは人が密集した公共スペースのケースにおいて、高効率ワイヤレスコンポーネントを使用するＡＰおよび／またはＳＴＡは、アクティブなワイヤレスデバイスの数が増加しても低減されたレイテンシおよび増加したネットワークスループットを経験し、それによって、ユーザエクスペリエンスを改善しうる。
【００５２】
[0061]図４は、図１のワイヤレス通信システム１００、図２Ｂのワイヤレス通信システム２５０、および／または図３のワイヤレス通信システム３００内において用いられうるワイヤレスデバイス４０２（例えば、ＨＥＷコンポーネント）の例証的な機能ブロック図を示す。ワイヤレスデバイス４０２は、本明細書において説明される様々な方法をインプリメントするように構成されうるデバイスの例である。例えば、ワイヤレスデバイス４０２は、ＡＰ１０４、ＳＴＡ１０６のうちの１つ、ＡＰ２５４のうちの１つ、ＳＴＡ２５６のうちの１つ、および／またはＡＰ３０４のうちの１つを備えうる。
【００５３】
[0062]ワイヤレスデバイス４０２は、ワイヤレスデバイス４０２の動作を制御するプロセッサ４０４を含みうる。プロセッサ４０４はまた、中央処理装置（ＣＰＵ）と呼ばれうる。読取専用メモリ（ＲＯＭ）およびランダムアクセスメモリ（ＲＡＭ）の両方を含みうる、メモリ４０６は、プロセッサ４０４に命令およびデータを提供しうる。メモリ４０６の一部はまた、不揮発性ランダムアクセスメモリ（ＮＶＲＡＭ）を含みうる。プロセッサ４０４は典型的に、メモリ４０６内に記憶されたプログラム命令に基づいて論理および算術演算を遂行する。メモリ４０６内における命令は、本明細書において説明される方法をインプリメントするために実行可能でありうる。
【００５４】
[0063]プロセッサ４０４は、１つまたは複数のプロセッサでインプリメントされた処理システムのコンポーネントでありうる、またはそれを備えうる。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、離散ハードウェアコンポーネント、専用ハードウェア有限ステートマシン、または計算あるいは情報の他の操作を遂行することができる任意の他の適したエンティティの任意の組み合わせでインプリメントされうる。
【００５５】
[0064]処理システムは、ソフトウェアを記憶するための機械可読媒体をも含みうる。ソフトウェアは、ソフトウェア、ファームウェア、ミドルウェア、マイクロコード、ハードウェア記述言語、またはそれ以外で呼ばれるかどうかにかかわらず、任意のタイプの命令を意味するように広く解釈されるべきである。命令は、（例えば、ソースコードフォーマット、バイナリコードフォーマット、実行可能コードフォーマット、または任意の他の適したコードのフォーマットで）コードを含みうる。命令は、１つまたは複数のプロセッサによって実行された場合、処理システムに、本明細書において説明される様々な機能を遂行させる。
【００５６】
[0065]ワイヤレスデバイス４０２は、ワイヤレスデバイス４０２と遠隔ロケーションとの間でのデータの送信および受信を可能にするために送信機４１０および／または受信機４１２を含みうるハウジング４０８をも含みうる。送信機４１０および受信機４１２は、トランシーバ４１４へと組み合わされうる。アンテナ４１６は、ハウジング４０８に取り付けられ、トランシーバ４１４に電気的に結合されうる。ワイヤレスデバイス４０２はまた、（示されていないが）多数の送信機、多数の受信機、多数のトランシーバ、および／または多数のアンテナを含みうる。
【００５７】
[0066]ワイヤレスデバイス４０２はまた、トランシーバ４１４によって受信された信号のレベルを検出および定量化する試みにおいて使用されうる信号検出器４１８を含みうる。信号検出器４１８は、そのような信号を、総エネルギー、シンボルあたりの副搬送波ごとのエネルギー、電力スペクトル密度および他の信号として検出しうる。ワイヤレスデバイス４０２は、信号を処理する際に使用するためのデジタル信号プロセッサ（ＤＳＰ）４２０をも含みうる。ＤＳＰ４２０は、送信のためのパケットを生成するように構成されうる。いくつかの態様において、パケットは、物理レイヤデータユニット（ＰＰＤＵ）を備えうる。
【００５８】
[0067]ワイヤレスデバイス４０２は、いくつかの態様においてユーザインタフェース４２２をさらに備えうる。ユーザインタフェース４２２は、キーパッド、マイクロフォン、スピーカ、および／またはディスプレイを備えうる。ユーザインタフェース４２２は、ワイヤレスデバイス４０２のユーザに情報を伝達するおよび／またはユーザからの入力を受信する任意の要素またはコンポーネントを含みうる。
【００５９】
[0068]ワイヤレスデバイス４０２はさらに、いくつかの態様において高効率ワイヤレスコンポーネント４２４を備えうる。高効率ワイヤレスコンポーネント４２４は、分類機ユニット４２８および送信制御ユニット４３０を含みうる。本明細書において説明されるように、高効率ワイヤレスコンポーネント４２４は、ＡＰおよび／またはＳＴＡが、ＣＳＭＡメカニズムの非効率性を最小化する修正されたメカニズムを使用することを可能にしうる（例えば、干渉が起こらないであろう状況において媒体を介した同時通信を可能にする）。
【００６０】
[0069]修正されたメカニズムは、分類機ユニット４２８および送信制御ユニット４３０によってインプリメントされうる。実施形態において、分類機ユニット４２８は、時間、周波数、または空間における追加の直交化なしに、どのデバイスが他のデバイスと同時に通信することができるような状態または条件にあるのか、およびどのデバイスが他のデバイスと同時に通信することができないような状態または条件にあるのかを決定する。実施形態において、送信制御ユニット４３０は、デバイスの挙動を制御する。例えば、送信制御ユニット４３０は、ある特定のデバイスが、同じ媒体上において同時に送信することを可能にし、他のデバイスが、空間多重化または周波数ドメイン多重化技法を使用して送信することを可能にしうる。送信制御ユニット４３０は、分類機ユニット４２８によって行われた決定に基づいてデバイスの挙動を制御しうる。
【００６１】
[0070]ワイヤレスデバイス４０２の様々なコンポーネントは、バスシステム４２６によって共に結合されうる。バスシステム４２６は、データバス、例えば、ならびにデータバスに加えて、電力バス、制御信号バス、および状態信号バスを含みうる。当業者は、ワイヤレスデバイス４０２のコンポーネントは共に結合されうる、または何らかの他のメカニズムを使用して互いに入力を受け取りうるあるいは提供しうることを理解するであろう。
【００６２】
[0071]多数の別個のコンポーネントが図４内において例示されるが、当業者は、コンポーネントのうちの１つまたは複数が組み合わされうるまたは一般にインプリメントされうることを認識するであろう。例えば、プロセッサ４０４は、プロセッサ４０４に関して上述された機能性をインプリメントするだけでなく、信号検出器４１８および／またはＤＳＰ４２０に関して上述された機能性をインプリメントするためにも使用されうる。さらに、図４内において例示されるコンポーネントの各々は、複数の別個の要素を使用してインプリメントされうる。
【００６３】
[0072]いくつかのインプリメンテーションにおいて、多数のＢＳＳの高密度展開（dense deployment）を有するネットワーク内におけるＡＰ／ＳＴＡのリソースおよび動作モードは、干渉を低減するために協調される。いくつかの態様において、時間、周波数、空間、および電力を含む１つまたは複数の次元は、ＡＰ／ＳＴＡの間で協調される。いくつかの態様において、協調メッセージは、ＡＰ／ＳＴＡの間で送られる。いくつかの態様において、８０２．１１ａｈスケジューリングおよび８０２．１１ａａ協調プロトコルに対する特定の強化（enhancement）が用いられる。
【００６４】
[0073]協調は、異なるＢＳＳのＡＰ／ＳＴＡにわたる明示的な通信として達成されることができる。例えば、無線を介して交換されたメッセージまたは別個の通信手段（例えば、ケーブルバックホール接続）を介して交換されたメッセージを介してである。メッセージは、直接ＡＰの間で、ＳＴＡを介してＡＰの間で、直接ＳＴＡの間で、またはＡＰを介してＳＴＡの間で交換されることができる。
【００６５】
[0074]協調は、媒体上におけるトラフィックの観測に基づく暗示的な通信／測定として達成されることができる。例えば、パケットは、協調を助長することができる部分的情報を搬送するために強化されうる。
【００６６】
[0075]協調の最終決定は、各ＡＰにおいて、分散されたヒューリスティック（heuristic）で、または各ＳＴＡにおいて、交換された情報に基づいて、中央の通知されたコントローラによって行われることができる。
実例的な遅延ルールの強化
【００６７】
[0076]ある特定のＷｉＦｉネットワーク内において、重複する基本サービスセット（ＯＢＳＳ）内におけるノードにとって同時に送信することが有益であるケースが存在しうる。しかしながら、現在のＷｉＦｉ規格は、厳密な遅延ルールを有しうる。加えて、ノードにとって、パケットがＯＢＳＳ内におけるアクセスポイント（ＡＰ）からのものであるのか、またはノード自体のＢＳＳ内におけるＡＰからのものであるのかどうかを知ることが望まれうる。この情報は、ＯＢＳＳにわたって同時送信を可能にする目的で新しい遅延ルールをインプリメントする際に有用でありうる。
【００６８】
[0077]現在、空間的再使用には限界がある。いくつかのケースにおいて、遅延ルールは、控え目（conservative）でありうる。例えば、ネットワーク割り振りベクトル（ＮＡＶ：network allocation vector）またはクリアチャネル評価（ＣＣＡ：clear channel assessment）が設定され、受け取り可能であろう送信を妨げうる。物理（ＰＨＹ）ＣＣＡ（エネルギーまたはパケット検出）レベルは、規格によって固定され、したがって、条件に適合可能でない可能性がある。仮想搬送波感知（ＮＡＶ：virtual carrier sensing）は、ＮＡＶが送られうるペイロード変調およびコーディングスキーム（ＭＣＳ：modulation and coding scheme）と同じ感度レベルで効果的にアクティブでありうる。他のケースにおいて、遅延ルールは、積極的（aggressive）でありうる。例えば、ＮＡＶまたはＣＣＡは、起こるべきではなかった送信を可能にしうる。ＮＡＶは、フレームが信号（ＳＩＧ）またはデータ部分に失敗したことから復号されない可能性がある（NAV may not be decoded because the frame failed signal (SIG) or Data portions.）。プリアンブル検出は、信号対雑音プラス干渉比（ＳＩＮＲ：signal-to-noise-plus-interference ratio）が十分でない可能性があることからトリガされない可能性がある。加えて、パケット検出および／またはエネルギー検出（ＥＤ）レベルは、特定の干渉シナリオにとっては高すぎる可能性がある。
【００６９】
[0078]さらなる他のケースにおいて、ＣＣＡ／ＮＡＶレベルに関係なく、ノードは、「無用」のパケットを受信している可能性がある。無用のパケットは、受信機を対象としていないパケットでありうる、または無用のパケットは、ペイロードにとって復号されるには弱すぎるパケットでありうる。
【００７０】
[0079]このように、それ自体のＢＳＳから生じるパケットとＯＢＳＳから生じるパケットとをノードが区別することが可能となるとインプリメントされることができる遅延ルールを有することが望ましい。本開示のある特定の態様は、ノードが、そのような区別立てを遂行することを可能にするための技法および装置について論述する。
【００７１】
[0080]本開示のある特定の態様は、遅延ルールの強化を説明する。ある特定の態様によると、ＣＣＡの挙動は、改善されうる。例えば、遅延関連インジケーションは、全ての送信されたパケット内（例えば、ＰＨＹプリアンブル内）に含まれうる。パラメータ値は、送信局（ＳＴＡ）（例えば、図３内において例示されるＳＴＡ２５６のうちの１つ）によって、またはＡＰ（例えば、図３内において例示されるＡＰ２５４のうちの１つ）によって決定されうる。ある特定の態様によると、全ての送信されたパケット内に含まれる遅延関連インジケーションは、ＢＳＳの識別子、送信機の識別子、パケットの受信機の識別子、送信機（ＴＸ）電力インジケーション、パケットの「重要性」のインジケーション（ドロップされることができるか否か）、パケットのサービス品質（ＱｏＳ）のインジケーション、または受信機が遅延することになっているＲＸ電力レベルのインジケーション（ＣＣＡレベル）、のうちの１つまたは複数を含みうる。ある特定の態様によると、ＡＰは、ＳＴＡによって送信されたパケット内に含まれるように遅延関連情報をシグナリングしうる。
【００７２】
[0081]ＣＣＡの挙動を改善するための別の方法は、例えば、ＡＰによって定義された追加のルールおよび／または受信されたパケット内に含まれた遅延関連情報に基づいて、パケットの受信の際に遅延に関する基準を定義することでありうる。例えば、ＳＴＡは、パケットが１つまたは複数の条件に一致する場合に受信されたパケットを遅延しないことを可能にされうる。いくつかのケースにおいて、ＳＴＡは、パケットがプリアンブル内に含まれた情報に関連する任意の条件に一致する場合に受信されたパケットを遅延しないことを可能にされうる。例えば、プリアンブル内に含まれた情報に関連する条件は、パケットＢＳＳ識別子（ＢＳＳＩＤ）がＯＢＳＳからまたはある特定の選択されたＯＢＳＳからのものであるかどうか（例えば、ＡＰは、リストを提供しうる）、ＴＸ／ＲＸ識別子が（例えば、ＡＰによってシグナリングされうる）ある特定のＲＸ／ＴＸ識別子と一致するかどうか、パケット内において示されたＴＸ電力が（例えば、ＡＰによって示された）値よりも低いかどうか、を含みうる。いくつかのケースにおいて、ＳＴＡは、パケットがＯＢＳＳからのものである場合に遅延しないことを可能にされうる。可能にされた非遅延は、パケットがＯＢＳＳからのものである場合にのみ保たれうる。非遅延はまた、傍受された（overheard）送信が２つのノードの間に存在する場合に可能にされることができ、２つのノードのうちのいずれも、所望の送信の意図された受信先ではない。いくつかのケースにおいて、ＳＴＡは、「重要性」インジケーションがそれを可能にするまたはＳＴＡが（例えば、受信されたパケット内におけるＱｏＳインジケーションと比較して）ある特定のＱｏＳで送信のために媒体を使用することを計画している場合に遅延しないことを可能にされうる。
【００７３】
[0082]いくつかのケースにおいて、ＳＴＡは、パケットがＰＨＹプリアンブルから導出された追加の情報に関連する１つまたは複数の条件に一致する場合に受信されたパケットを遅延しないことを可能にされうる。例えば、ＳＴＡは、受信電力が（例えば、ＡＰによって示されたまたは規格内における）ある特定のしきい値を下回る場合、またはパケットの帯域幅が（例えば、ＡＰによって示された）ある特定の範囲内に存在する場合、あるいはパケットのＭＣＳが（例えば、ＡＰによって示された）ある特定の範囲内に存在する場合、もしくはパケットの持続時間が（例えば、ＡＰによって示された）何らかの値よりも大きい場合に遅延しないことを可能にされうる。
【００７４】
[0083]いくつかのケースにおいて、ノードは、パケットがある特定の時間および／または周波数内に到達した場合にパケットを遅延しない可能性がある。例えば、ある特定の遅延ルールは、制限されたアクセスウィンドウ（ＲＡＷ）内においてのみ有効であると定義されることができる。言い換えれば、ＲＡＷ中において、ＳＴＡは、ＯＢＳＳのパケットを遅延しないことが可能でありうる。
【００７５】
[0084]いくつかのケースにおいて、ＳＴＡは、ある特定のカテゴリのパケット（例えば、特定の干渉条件を満たすパケット）を遅延しない可能性がありうる。いくつかのケースにおいて、ＳＴＡは、パケットが特定のカテゴリのものであるかどうかを決定しうる。カテゴリは、受信されたパケットの受信信号強度インジケーション（ＲＳＳＩ：receive signal strength indication）または受信されたパケットのターゲット宛先の送信のＲＳＳＩに基づきうる。カテゴリは、ＳＴＡ ＡＰとの受信信号強度インジケーション（ＲＳＳＩ）に基づきうる、および／または干渉物（ＯＢＳＳのＡＰ）とのＲＳＳＩに基づきうる。カテゴリはまた、ＡＰによって決定されうる。他のタイプのカテゴリはまた、ＳＴＡまたはＡＰによって決定されうる。
【００７６】
[0085]ある特定の態様によると、受信ＳＴＡ（例えば、図３内において例示されるＳＴＡ２５６のうちの１つ）は、パケットがドロップされることができるかどうかを決定するためにそれ自体のＡＰ（例えば、図３内において例示されるＡＰ２５４のうちの１つ）から受信された追加の基準および受信されたパケット内における情報を使用しうる。ＳＴＡが、パケットはドロップされうると決定する場合、ＳＴＡは、（例えば、ＰＨＹ／ＭＡＣヘッダに基づいて）情報が決定された後にパケットを処理することを停止し、送信することを可能にされうる。送信は、ある特定の限定を伴ってのみ可能にされうる。例えば、送信は、ある特定の持続時間内（例えば、固定され、かつ以前ドロップされた物理レイヤコンバージェンスプロシージャ（ＰＬＣＰ：physical layer convergence procedure）プロトコルデータユニット（ＰＰＤＵ）の持続時間内）において可能にされうる。送信は、ある特定の最大電力を伴って可能にされうる。送信は、パケットの送信要求（ＲＴＳ）および／または送信許可（ＣＴＳ）によって先行されうる。送信は、ある特定の帯域幅を伴って可能にされうる。送信は、ある特定の宛先を伴って可能にされうる。
【００７７】
[0086]ある特定の態様によると、ＡＰは、遅延ルールを定義し、ＳＴＡに遅延ルールを通信しうる。ＡＰはまた、各送信されたパケット内に挿入されるようにどのように遅延パラメータを設定するのかをＳＴＡに示しうる。ＡＰは、ルールおよびパラメータの設定を協調しうる。いくつかのケースにおいて、ＡＰは、ビーコン、プローブ応答、関連付け応答内において、またはＳＴＡに直接送られた管理フレーム内において上記ルールをインプリメントするために必要とされるパラメータのうちのいずれかにシグナリングしうる。ネゴシエーションプロシージャは、ＡＰによって定義され、開始されうる。例えば、ＡＰは、ＳＴＡが、ＡＰが定義するパラメータにしたがって、またはＳＴＡによって決定されたパラメータに基づいて遅延することを可能にしうる。
【００７８】
[0087]いくつかのケースにおいて、ＡＰは、上記にリストされたパラメータおよびルールのいずれかを定義する際に協調しうる。例えば、ＡＰは、どの情報が送信されたパケット内に含まれるべきかに関して協調しうる。例として、ＡＰは、ＢＳＳＩＤが各近隣間において固有であることを確実にし、（遅延の決定に関する基礎として使用されうる）パケットの重要性（ＱｏＳ）が公正に設定されうることを確実にする試みにおいて協調しうる。ＡＰはまた、どのルールがどのＳＴＡに適用されるのか、上記にリストされた条件および／または遅延パラメータのいずれかにいつ適用するのかを協調しうる。
実例的なＢＳＳＩＤ情報に基づく遅延
【００７９】
[0088]ある特定の態様によると、遅延ルールは、パケット内におけるＢＳＳ識別子情報に基づきうる。（例えば、図２Ｂ内に例示されるような）高密度シナリオにおいて、１つの基本サービス（ＢＳＳ）内における送信は、重複するＢＳＳ（ＯＢＳＳ）からの送信によって干渉されかねない。いくつかのケースにおいて、ＯＢＳＳからの干渉する送信は、同時送信が可能でなくなりうるように、強力でありうる。他のケースにおいて、ＯＢＳＳ干渉は、強力でない可能性があり、同時送信は、可能でありうる。
【００８０】
[0089]ある特定の局（ＳＴＡ）は、ある特定のＯＢＳＳからのパケットを遅延しない可能性があるが、しかしながら、そのサービングアクセスポイント（ＡＰ）に送信するように意図するＳＴＡは典型的に、送信するように意図するＳＴＡのＢＳＳ内におけるＡＰまたは任意の他のＳＴＡによって送られるパケットを遅延する。
【００８１】
[0090]したがって、ＳＴＡが、ある特定のＯＢＳＳから来るパケットを遅延しないことを可能にすることが望まれうる。
【００８２】
[0091]ある特定の態様によると、（例えば、図３内に例示されるＳＴＡ２５６のうちの１つのような）ＳＴＡは、パケットのＢＳＳＩＤを決定しうる。パケットは、ＢＳＳの識別子を搬送する。識別子は、ＯＢＳＳ間において固有であるべきである。ある特定のシステム（例えば、８０２．１１ａｃシステム）において、アップリンクパケットのＢＳＳＩＤは、パケットのプリアンプル内における部分的関連付け識別子（ｐａｒｔｉａｌ＿ＡＩＤ：partial association identifier）フィールドから決定されうる。しかしながら、ダウンリンクパケットのＢＳＳＩＤは、プリアンブル内におけるｐａｒｔｉａｌ＿ＡＩＤフィールドから決定されない可能性がある。理想的には、ＢＳＳＩＤは、実際のパケットを復号することは信頼性が高くない可能性があることからプリアンブルから認識可能であるべきである。
【００８３】
[0092]本開示のある特定の態様は、ダウンリンクパケットのプリアンブル内にＢＳＳＩＤを含むための技法および装置を提供する。ある特定の態様によると、高効率ワイヤレス（ＨＥＷ）パケット内におけるｐａｒｔｉａｌ＿ＡＩＤは、ＢＳＳＩＤとしてある特定のビットを、ＳＴＡ識別子に対してある特定のビットを含みうる。ある特定の態様によると、ＡＰは、ＢＳＳＩＤが重複しないようにＢＳＳＩＤを連帯的に決定しうる。アップリンク方向において、ＳＴＡ識別子は、送信ＳＴＡのアドレスを示しうる。ダウンリンク方向において、ＳＴＡ識別子は、受信ＳＴＡのアドレスを示しうる。ある特定の態様によると、単一のビットは、識別子がＵＬまたはＤＬであるかどうかを示すために使用されうるが、それは、ＳＴＡが、（例えば、送信ＳＴＡアドレスまたは受信ＳＴＡアドレスを識別するために）部分的ＡＩＤをどのように使用するのかを知ることを可能にしうる。
【００８４】
[0093]ある特定の態様によると、ＡＩＤは、ｐａｒｔｉａｌ＿ＡＩＤを作成する場合に、ｐａｒｔｉａｌ＿ＡＩＤのある特定の最後のビットが同じでありうるように、ＢＳＳ内のＳＴＡに割り当てられうる。これらのビットは、ＢＳＳＩＤとして使用されることができる。ある特定の態様によると、Ｑレールまたはｓｉｇ内における１ビットは、ＡＰが符号化を使用するかどうかを規定しうる。ＡＰは、どのビットが、重複が存在しないようにＢＳＳＩＤに対して使用されるかを連帯的に決定しうる。
【００８５】
[0094]ある特定の態様によると、ＡＰが協調される場合、ＡＰ識別子は、（近隣間において衝突しうる）部分的ＢＳＳＩＤである必要はないが、近隣ＡＰ間において同意された任意の識別子であることができる。代替として、ＡＩＤ空間は、ＡＩＤが暗示的にＢＳＳを識別するように近隣間で区分されうる。このケースにおいて、ＡＰは、ＳＴＡがどのＡＩＤをフィルタ除去すべきかを知るように、ＳＴＡに区分を示しうる。
ＢＳＳＩＤに基づく協調されていない遅延
【００８６】
[0095]ある特定の態様は、ＢＳＳＩＤに基づく協調されていない遅延の例を提供する。例えば、第１のオプションによると、標準的な遅延は、パケットが同じＢＳＳ内からのものである場合に使用されうる。このケースにおいて、ＡＰは、パケットが任意のＯＢＳＳである（またはＡＰによって示された特定のＯＢＳＳからのものである）場合に遅延しないように（例えば、ＢＳＳ許容範囲（BSS allowance）内における）ＳＴＡに示しうる。ＡＰは、受信ＳＴＡがＯＢＳＳパケットを遅延しないことを可能にされうるＳＴＡのある特定のグループに属する場合に遅延しないようにＳＴＡに示しうる。加えてまたは代替として、ＡＰは、パケットのそれらの受信信号強度インジケーション（ＲＳＳＩ）がある特定の値を下回る場合に遅延しないようにＳＴＡに示しうる。ある特定の態様によると、値は、ＡＰによって示されうる。加えてまたは代替として、ＡＰは、ＲＲＳＩがある特定の値を下回り、パケットが「遅延する必要がない」ビットセットを有する場合に遅延しないようにＳＴＡに示しうる。ある特定の態様によると、パケットの送信機は、「遅延する必要がない」ビットを設定するか否かを決定する。挙動を最適化するために、ＡＰは、上記のパラメータおよび／またはＳＴＡの選択に関して協調しうる。
【００８７】
[0096]ＢＳＳＩＤに基づく協調されていない遅延に関する第２のオプションによると、標準的な遅延は、パケットがＢＳＳ内からのものである場合に使用され、修正された遅延は、パケットがＯＢＳＳからのものである場合に使用されうる。修正された遅延の場合、パケットの意図された受信機のＲＳＳＩがある特定の値を下回る場合、ＳＴＡは、遅延しないことを可能にされうる。代替として、ＳＴＡは、パケットのＲＳＳＩがある特定の値を下回り、パケットが「遅延する必要がない」ビットセットを有する場合に遅延しないことを可能にされうる。
【００８８】
[0097]ある特定の態様によると、送信機および受信機識別子の両方は、Ｐａｒｔｉａｌ＿ＡＩＤフィールド内に含まれうる。これは、ノードが、ＯＢＢＳ内における他のノードからＲＳＳＩ測定値の経過を追う（keep track of）ことを可能にしうる。例えば、パケットが送信機識別子を有するであろうことから、ノードは、アップリンクパケットに関して送信機のＲＳＳＩを測定し、ＯＢＳＳ ＳＴＡおよびＯＢＳＳ ＡＰの両方に対してＲＳＳＩ値を得ることができる。
ＢＳＳＩＤに基づく協調されている遅延
【００８９】
[0098]ある特定の態様は、ＢＳＳＩＤに基づく協調されている遅延を提供する。ある特定の態様によると、ＡＰは、時間で協調しうる。ある特定の態様によると、異なる時間期間中、異なる遅延ルールが使用されうる。例えば、パケットがＢＳＳ内からのものである場合に、いくつかの時間期間中において標準的な遅延ルールが使用され、他の時間期間中において標準的な遅延ルールが使用されうるが、パケットがＯＢＳＳからのものである場合には修正された遅延ルールが使用されうる。例えば、ＳＴＡは、パケットがＯＢＳＳからのものである場合に遅延しないことを可能にされうる。代替として、ＳＴＡＳは、パケットのＲＳＳＩがしきい値を上回る場合にのみ遅延しうる。代替として、ＳＴＡは、パケットの意図された受信機におけるＲＳＳＩがある特定の値を上回る場合にのみ遅延することを可能にされうる。
【００９０】
[0099]ある特定の態様によると、ＳＴＡは、異なるグループに分類されうる。ある特定の態様によると、異なるグループは、異なる時間期間および、故に、異なる遅延ルールを割り当てられうる。例えば、ロバストなユーザは、修正された遅延ルールを伴う時間スロットを与えられ、センシティブ（sensitive）なユーザは、通常の遅延ルールを伴う時間スロットを与えられうる。ある特定の態様によると、異なる時間期間はまた、追加の帯域幅制約を有しうる。
【００９１】
[0100]ある特定の態様によると、ＡＰは、周波数にわたって協調しうる。ある特定の態様によると、異なる遅延ルールは、異なる帯域幅内において使用されうる。例えば、パケットがＢＳＳ内からのものである場合に、標準的な遅延ルールが第１の帯域幅内において使用され、第２の帯域幅内において標準的な遅延が使用されうるが、パケットがＯＢＳＳからのものである場合には修正された遅延が使用されうる。例えば、第２の帯域幅において、ＳＴＡは、パケットがＯＢＳＳからのものである場合に遅延しない可能性がある。代替として、第２の帯域幅において、ＳＴＡは、パケットのＲＳＳＩがしきい値を下回る場合にのみ遅延しないことを可能にされうる。代替として、第２の帯域幅において、ＳＴＡは、パケットの意図された受信機におけるＲＳＳＩがある特定の値を上回る場合にのみ遅延することを可能にされうる。
【００９２】
[0101]ある特定の態様によると、周波数にわたって協調するＡＰは、多数の送信機および受信機回路を有しうる。ある特定の態様によると、ＢＳＳＩＤに基づく周波数協調された遅延の場合、ＳＴＡは、異なるグループに分類されうる。異なるグループは、異なる帯域幅および、故に、異なる遅延ルールを割り当てられうる。
【００９３】
[0102]図５は、本開示のある特定の態様にしたがって、ワイヤレス通信に関する実例的な動作５００を例示する。動作５００は、装置、例えば、ＳＴＡ（例えば、図３内において例示されるＳＴＡ２５６のうちのいずれか）によって遂行されうる。動作５００は、５０２にて、共有アクセス媒体上において、少なくとも１つの遅延関連パラメータを有するパケットを取得することによって開始しうる。
【００９４】
[0103]５０４にて、ＳＴＡは、遅延関連パラメータに、少なくとも部分的に、基づいて共有アクセス媒体上における送信を遅延するかどうかを決定しうる。ある特定の態様によると、ＳＴＡはさらに、決定を行う際にどの少なくとも１つの遅延関連パラメータを使用するかの（例えば、ビーコン、プローブ応答、関連付け応答、および／または管理フレーム内において受信された）インジケーションおよび／またはＯＢＳＳのリストに基づいて決定しうる。ある特定の態様によると、ＳＴＡは、決定を行う際に少なくとも１つの遅延関連パラメータに関連付けられた１つまたは複数のしきい値を使用しうる。ある特定の態様によると、決定は、少なくとも１つの遅延関連パラメータに基づき、少なくとも１つの他のパラメータ（例えば、パケットの帯域幅、パケットのＭＣＳ、および／またはパケットの持続時間）にも基づきうる。
【００９５】
[0104]ある特定の態様によると、ＳＴＡは、Ｐａｒｔｉａｌ＿ＡＩＤに基づいてＢＳＳの識別子(例えば、ＢＳＳＩＤ）を決定しうる。ある特定の態様によると、ＳＴＡは、装置がメンバであるＢＳＳからのパケットを遅延し、１つまたは複数のＯＢＳＳからのパケットを遅延しない可能性がある。代替として、ＳＴＡは、ある期間中に、装置がメンバであるＢＳＳからのパケットを遅延し、１つまたは複数のＯＢＳＳからのパケットを遅延しない可能性がある。
【００９６】
[0105]図６は、本開示のある特定の態様にしたがって、ワイヤレス通信に関する実例的な動作６００を例示する。動作６００は、装置、例えば、ＡＰ（例えば、図３内において例示されるＡＰ２５４のうちのそのようないずれか）によって遂行されうる。動作６００は、６０２において、他の装置が共有アクセス媒体上において送信することを遅延すべきか否かを決定するために別の装置（例えば、ＳＴＡ）によって使用されるべき少なくとも１つの遅延関連パラメータを（例えば、ＰＨＹプリアンブル内において）備えるパケットを生成することによって開始しうる。ある特定の態様によると、遅延関連パラメータは、ＢＳＳＩＤ、パケットの送信機の識別子、および／またはパケットの受信機の識別子を含みうる。加えてまたは代替として、遅延関連パラメータは、パケットがパケットのＱｏＳのインジケーションまたは遅延を必要とするかどうかのインジケーションを含みうる。加えてまたは代替として、遅延関連パラメータは、他の装置による遅延関連パラメータの受信後に他の装置が遅延することになっているのに等しいまたはそれを上回る受信電力レベルを含みうる。
【００９７】
[0106]ある特定の態様によると、ＡＰは、決定を行う際に他の装置が使用するために遅延関連パラメータの１つまたは複数のしきい値をシグナリングするメッセージを生成しうる。ある特定の態様によると、ＡＰは、識別子によって識別されたＢＳＳをリスト内におけるＢＳＳと比較することによって決定を行う際に他の装置が使用するためにある特定のＯＢＳＳのリストをシグナリングするメッセージを生成しうる。ある特定の態様によると、ＡＰは、どのタイプの遅延関連パラメータが送信されたパケット内において含まれるべきかをシグナリングするメッセージを生成しうる。ある特定の態様によると、ＡＰは、ビーコン、プローブ応答、関連付け応答、または管理フレームのうちの少なくとも１つ内においてメッセージを送信しうる。ある特定の態様によると、ＡＰは、決定を行う際に他の装置によって使用されるべき１つまたは複数のルールに関する情報を送信しうる。
【００９８】
[0107]ある特定の態様によると、ＡＰは、ＢＳＳのＢＳＳＩＤに、少なくとも部分的に、基づいてｐａｒｔｉａｌ＿ＡＩＤを生成し、パケットのプリアンブル内においてｐａｒｔｉａｌ＿ＡＩＤを含みうる。ＡＩＤは、ＢＳＳＩＤとして少なくともいくつかのビットを、ＳＴＡ識別子に対して少なくともいくつかのビットを有しうる。加えて、ＡＩＤは、アップリンクとダウンリンクとを差別化するために使用されるべき少なくともいくつかのビットを有しうる。ある特定の態様によると、ＡＰは、重複していないＢＳＳＩＤを決定するために１つまたは複数の他の装置（ＡＰ）と協調しうる。ある特定の態様によると、利用可能なＡＩＤ値は、ＡＩＤが暗黙的に対応するＢＳＳを識別するように、近隣間で区分され、ＡＰは、区分されたＡＩＤ空間を示すメッセージを生成しうる。ある特定の態様によると、装置からＡＰへの通信の場合、ＳＴＡ識別子は、送信デバイスのアドレスを示しうる。装置から受信局への通信の場合、ＳＴＡ識別子は、受信局のアドレスを示しうる。ある特定の態様によると、ＡＰは、ｐａｒｔｉａｌ＿ＡＩＤを作成する場合に、少なくともいくつかのビットが同じであり、ＢＳＳＩＤを決定するためにデバイスによって使用されることができるように、ＡＩＤをＳＴＡに割り当てうる。
【００９９】
[0108]６０４では、ＡＰは、他の装置への送信のためにパケットを出力しうる。
【０１００】
[0109]上述された方法の様々な動作は、対応する機能を遂行することが可能である任意の適した手段によって遂行されうる。手段は、回路、特定用途向け集積回路（ＡＳＩＣ）、またはプロセッサを含むがそれらに限定されるわけではない、様々なハードウェアおよび／またはソフトウェアコンポーネントおよび／またはモジュールを含みうる。一般に、図内において例示される動作が存在する場合、それらの動作は、同様の番号を有する対応する対照のミーンズプラスファンクションコンポーネントを有しうる。例えば、図５および６内において例示される動作５００および６００は、図５Ａおよび６Ａ内において例示される手段５００Ａおよび６００Ａに対応する。
【０１０１】
[0110]例えば、送信するための手段は、図４内において例示されるワイヤレスデバイス４０２の送信機（例えば、送信機４１０）および／またはアンテナ４１６を備えうる。受信するための手段は、図４内において例示されるワイヤレスデバイス４０２の受信機（例えば、受信機４１２）および／またはアンテナ４１６を備えうる。
【０１０２】
[0111]いくつかのケースにおいて、受信機または受信するための手段は、「フロントエンド」ＲＦ機能を含まない可能性があるが、例えば、ＲＦフロントエンドプロセッサからパケットを受信するための手段を含むことができる。ある特定の態様によると、本明細書において説明される態様にしたがって動作する装置は、そのようなＲＦフロントエンドプロセッサからパケット（またはその中に含まれるパラメータ）を取得しうる。同様に、送信機または送信するための手段は、「フロントエンド」ＲＦ機能を含まない可能性があるが、例えば、送信のためにＲＦフロントエンドプロセッサにパケットを提供するための手段を含むことができる。ある特定の態様によると、本明細書において説明される態様にしたがって動作する装置は、パケット（またはパケット内に含まれるべきパラメータ）を生成し、送信のためにＲＦフロントエンドプロセッサにパケットを提供しうる。
【０１０３】
[0112]決定するための手段および生成するための手段は、図４内において例示されるプロセッサ４０４のような、１つまたは複数のプロセッサを含みうる。ある特定の態様によると、そのような手段は、（例えば、ハードウェア内においてまたはソフトウェア命令を実行することによって）様々なアルゴリズムをインプリメントすることによって対応する機能を遂行するように構成された処理システムによってインプリメントされうる。例えば、遅延するかどうかを決定するためのアルゴリズムは、入力として、パケット内に含まれた遅延関連パラメータを取り、その入力に基づいて遅延するか否かの決定を行いうる。そのような遅延関連パラメータを有するパケットを生成するためのアルゴリズムは、入力として、ある特定のタイプの遅延または遅延の欠如を義務付ける情報を取り、対応する遅延関連パラメータを有するパケットを生成しうる。
【０１０４】
[0113]本明細書で使用される場合、「決定すること」という用語は、幅広い動作を包含する。例えば、「決定すること」は、算出すること、計算すること、処理すること、導出すること、調査すること、ルックアップすること（例えば、表、データベースまたは別のデータ構造内においてルックアップすること）、確定すること等を含みうる。また、「決定すること」は、受信すること（例えば、情報を受信すること）、アクセスすること（例えば、メモリ内におけるデータにアクセスすること）等を含みうる。また、「決定すること」は、解決すること、選択すること、選ぶこと、確立すること等を含みうる。さらに、本明細書で使用される「チャネル幅」は、ある特定の態様において、帯域幅を包含しうる、または帯域幅とも呼ばれうる。
【０１０５】
[0114]本明細書で使用される場合、項目のリスト「のうちの少なくとも１つ」を指す表現は、単一のメンバを含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするように意図される。
【０１０６】
[0115]上述された方法の様々な動作は、様々なハードウェアおよび／またはソフトウェアコンポーネント、回路、および／またはモジュールのような、動作を遂行することが可能である任意の適切な手段によって遂行されうる。一般に、図内において例示される任意の動作は、動作を遂行することが可能である対応する機能的な手段によって遂行されうる。
【０１０７】
[0116]本開示に関連して説明された様々な例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネントまたは本明細書で説明された機能を遂行するように設計されたそれらの任意の組み合わせを用いてインプリメントあるいは遂行されうる。汎用プロセッサは、マイクロプロセッサでありうるが、代替において、プロセッサは、任意の市販のプロセッサ、コントローラ、マイクロコントローラまたはステートマシンでありうる。プロセッサはまた、計算デバイスの組み合わせ、例えば、ＤＳＰおよびマイクロプロセッサの組み合わせ、複数のマイクロプロセッサ、ＤＳＰコアと連携した１つまたは複数のマイクロプロセッサ、または任意の他のそのような構成としてインプリメントされうる。
【０１０８】
[0117]１つまたは複数の態様において、説明された機能は、ハードウェア、ソフトウェア、ファームウェア、またはそれらの任意の組み合わせにおいてインプリメントされうる。ソフトウェア内においてインプリメントされる場合、機能は、コンピュータ可読媒体上において１つまたは複数の命令またはコードとして記憶あるいは送信されうる。コンピュータ可読媒体は、１つの場所から別の場所へのコンピュータプログラムの転送を容易にする任意の媒体を含む通信媒体とコンピュータ記憶媒体との両方を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここにおいて、ディスク（disk）は通常、データを磁気的に再生するが、一方でディスク（disc）は、レーザーを用いて光学的にデータを再生する。このように、いくつかの態様において、コンピュータ可読媒体は、非一時的コンピュータ可読媒体（例えば、有形媒体）を備えうる。加えて、いくつかの態様において、コンピュータ可読媒体は、一時的コンピュータ可読媒体（例えば、信号）を備えうる。上記の組み合わせはまた、コンピュータ可読媒体の範囲内に含まれるべきである。
【０１０９】
[0118]このように、ある特定の態様は、本明細書において提示された動作を遂行するためのコンピュータプログラム製品を備えうる。例えば、そのようなコンピュータプログラム製品は、命令を記憶（および／または符号化）したコンピュータ可読媒体を備え、命令は、本明細書で説明された動作を遂行するために１つまたは複数のプロセッサによって実行可能でありうる。例えば、共有アクセス媒体上において送信されたパケットから遅延関連パラメータを取得するための命令と、少なくとも１つの遅延関連パラメータに、少なくとも部分的に、基づいて共有アクセス媒体上における送信を遅延するかどうかを決定するための命令とがある。別の例として、他の装置が共有媒体上において送信することを遅延すべきか否かを決定するために別の装置によって使用されるべき少なくとも１つの遅延関連パラメータを備えるパケットを生成するための命令と、他の装置にパケットを提供するための命令とがある。
【０１１０】
[0119]ある特定の態様の場合、コンピュータプログラム製品は、パッケージ材料を含みうる。
【０１１１】
[0120]本明細書において開示された方法は、説明された方法を達成するための１つまたは複数のステップまたは動作を備える。方法のステップおよび／または動作は、特許請求の範囲から逸脱することなしに互いに置き換えられうる。言い換えれば、ステップまたは動作の特有の順序が規定されない限り、特有のステップおよび／または動作の順序および／または使用は、特許請求の範囲から逸脱することなしに修正されうる。
【０１１２】
[0121]ソフトウェアまたは命令はまた、送信媒体を介して送信されうる。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、マイクロ波のようなワイヤレス技術は、送信媒体の定義に含まれる。
【０１１３】
[0122]さらに、本明細書で説明された方法および技法を遂行するためのモジュールおよび／または他の適切な手段は、ダウンロードされることができる、および／または、そうでなければ、適用可能な場合にユーザ端末および／または基地局によって取得されることができることが認識されるべきである。例えば、そのようなデバイスは、本明細書で説明された方法を遂行するための手段の転送を容易にするためにサーバに結合されることができる。代替として、本明細書で説明された様々な方法は、デバイスに記憶手段を結合または提供する際にユーザ端末および／または基地局が様々な方法を取得することができるように、記憶手段（例えば、ＲＡＭ、ＲＯＭ、コンパクトディスク（ＣＤ）またはフロッピーディスクのような物理記憶媒体、等）を介して提供されることができる。その上、本明細書で説明された方法および技法をデバイスに提供するための任意の他の適した技法が利用されることができる。
【０１１４】
[0123]特許請求の範囲は、上記に例示されたまさにその構成およびコンポーネントに限定されないことが理解されるべきである。様々な修正、変更、および変形は、特許請求の範囲から逸脱することなしに上述された方法および装置の配置、動作および詳細においてなされうる。
【０１１５】
[0124]前述の内容が本開示の態様を対象としている一方、本開示の他のおよびさらなる態様は、その基本的な範囲から逸脱することなしに考案されえ、その範囲は、次の特許請求の範囲によって決定される。
以下に本願の出願当初の特許請求の範囲に記載された発明を付記する。
［Ｃ１］
ワイヤレス通信のための装置であって、
共有アクセス媒体上において送信されたパケットから少なくとも１つの遅延関連パラメータを取得し、前記少なくとも１つの遅延関連パラメータに、少なくとも部分的に、基づいて前記共有アクセス媒体上における送信を遅延するかどうかを決定するように構成された処理システムを備える、装置。
［Ｃ２］
前記処理システムは、前記少なくとも１つの遅延関連パラメータに関連付けられた１つまたは複数のしきい値に基づいて決定するようにさらに構成される、Ｃ１に記載の装置。
［Ｃ３］
前記少なくとも１つの遅延関連パラメータは、前記パケットを送信したデバイスの部分的関連付け識別子（ＡＩＤ）、前記パケットの受信が意図されるデバイスの部分的ＡＩＤ、前記パケットの基本サービスセット識別子（ＢＳＳＩＤ）、前記パケットの送信電力のインジケーション、前記パケットがドロップされることができるかどうかのインジケーション、前記パケットのサービス品質（ＱｏＳ）のインジケーション、または前記装置が遅延すべき受信電力レベルのインジケーションのうちの少なくとも１つを備える、Ｃ１に記載の装置。
［Ｃ４］
前記処理システムは、重複する基本サービスセット（ＯＢＳＳ）のリストにさらに基づいて前記共有アクセス媒体上における送信を遅延するかどうかを決定するように構成される、Ｃ１に記載の装置。
［Ｃ５］
前記処理システムは、前記少なくとも１つの遅延関連パラメータのうちのどれを使用するかのインジケーションに基づいて決定するようにさらに構成される、Ｃ１に記載の装置。
［Ｃ６］
前記インジケーションは、ビーコン、プローブ応答、関連付け応答、または管理フレームのうちの少なくとも１つにおいて受信される、Ｃ５に記載の装置。
［Ｃ７］
前記処理システムは、前記少なくとも１つの遅延関連パラメータおよび少なくとも１つの他のパラメータに基づいて決定するようにさらに構成される、Ｃ１に記載の装置。
［Ｃ８］
前記少なくとも１つの他のパラメータは、前記パケットの帯域幅、前記パケットの変調およびコーディングスキーム（ＭＣＳ）、前記パケットの持続時間、前記パケットの受信信号強度インジケーション（ＲＳＳＩ）、または前記パケットを送信したデバイスからの以前のパケットのＲＳＳＩのうちの少なくとも１つを備える、Ｃ７に記載の装置。
［Ｃ９］
前記処理システムは、部分的関連付け識別子（ＡＩＤ）に基づいて基本サービスセット（ＢＳＳ）の識別子を決定するようにさらに構成される、Ｃ１に記載の装置。
［Ｃ１０］
前記処理システムは、前記装置がメンバであるＢＳＳからのパケットの送信中に前記共有アクセス媒体上における送信を遅延し、１つまたは複数のＯＢＳＳからのパケットの送信中に前記共有アクセス媒体上における送信を遅延しないように構成される、Ｃ１に記載の装置。
［Ｃ１１］
前記処理システムは、前記１つまたは複数のＯＢＳＳからのパケットの前記送信がエネルギーしきい値を下回る場合に前記１つまたは複数のＯＢＳＳからのパケットの送信中に前記共有アクセス媒体上における送信を遅延せず、前記装置がメンバである前記ＢＳＳからのパケットの送信中に前記共有アクセス媒体上における送信を遅延するように構成される、Ｃ１０に記載の装置。
［Ｃ１２］
ワイヤレス通信のための装置であって、
他の装置が共有アクセス媒体上において送信することを遅延すべきか否かを決定するために別の装置によって使用されるべき少なくとも１つの遅延関連パラメータを備えるパケットを生成するように構成された処理システムと、
前記他の装置への送信のために前記パケットを出力するように構成されたインタフェースと
を備える、装置。
［Ｃ１３］
前記少なくとも遅延関連パラメータは、前記パケットの物理レイヤ（ＰＨＹ）プリアンブル内に含まれる、Ｃ１２に記載の装置。
［Ｃ１４］
前記処理システムは、決定する際に前記他の装置が使用するために前記少なくとも１つの遅延関連パラメータの１つまたは複数のしきい値をシグナリングするメッセージを生成するようにさらに構成される、Ｃ１２に記載の装置。
［Ｃ１５］
前記少なくとも１つの遅延関連パラメータは、基本サービスセット（ＢＳＳ）の識別子、前記パケットの送信機の識別子、または前記パケットの受信機の識別子のうちの少なくとも１つを備える、Ｃ１２に記載の装置。
［Ｃ１６］
前記処理システムは、前記識別子によって識別されたＢＳＳをリスト内における１つまたは複数の重複するＢＳＳ（ＯＢＳＳ）と比較することによって決定する際に前記他の装置が使用するためにある特定のＯＢＳＳの前記リストをシグナリングするメッセージを生成するようにさらに構成される、Ｃ１５に記載の装置。
［Ｃ１７］
前記少なくとも１つの遅延関連パラメータは、前記パケットが遅延を必要とするかどうかのインジケーションまたは前記パケットのサービス品質（ＱｏＳ）のインジケーションのうちの少なくとも１つを備える、Ｃ１２に記載の装置。
［Ｃ１８］
前記少なくとも１つの遅延関連パラメータは、前記他の装置による前記遅延関連パラメータの受信後に前記他の装置が遅延することになっているのに等しいまたはそれを上回る受信電力レベルのインジケーションを備える、Ｃ１２に記載の装置。
［Ｃ１９］
前記処理システムは、どのタイプの遅延関連パラメータが送信されたパケット内において含まれるべきかをシグナリングするメッセージを生成するようにさらに構成される、Ｃ１２に記載の装置。
［Ｃ２０］
前記インタフェースは、ビーコン、プローブ応答、関連付け応答、または管理フレームのうちの少なくとも１つを介した送信のために前記メッセージを出力するようにさらに構成される、Ｃ１９に記載の装置。
［Ｃ２１］
前記インタフェースは、決定する際に前記他の装置によって使用されるべき１つまたは複数のルールに関する情報を提供するようにさらに構成される、Ｃ１２に記載の装置。
［Ｃ２２］
前記処理システムは、前記ＢＳＳの前記識別子に、少なくとも部分的に、基づいて部分的関連付け識別子（ＡＩＤ）を生成し、前記パケットのプリアンブル内において前記部分的ＡＩＤを含むようにさらに構成される、Ｃ１５に記載の装置。
［Ｃ２３］
前記部分的ＡＩＤは、前記ＢＳＳの前記識別子として少なくともいくつかのビットを、および局（ＳＴＡ）識別子に対して少なくともいくつかのビットを有する、Ｃ２２に記載の装置。
［Ｃ２４］
前記部分的ＡＩＤは、アップリンクとダウンリンクとを差別化するために使用されるべき少なくともいくつかのビットを有する、Ｃ２２に記載の装置。
［Ｃ２５］
基本サービスセット（ＢＳＳ）の重複していない識別子を決定するために１つまたは複数の他の装置と協調することをさらに備える、Ｃ１２に記載の装置。
［Ｃ２６］
前記部分的ＡＩＤの異なる値は、異なるＢＢＳを識別する、Ｃ２２に記載の装置。
［Ｃ２７］
前記ＳＴＡ識別子は、前記装置がアクセスポイント（ＡＰ）と通信している場合に前記装置のアドレスを備える、Ｃ２３に記載の装置。
［Ｃ２８］
前記ＳＴＡ識別子は、前記装置がアクセスポイント（ＡＰ）と通信している場合に前記ＡＰのアドレスを備える、Ｃ２３の装置。
［Ｃ２９］
ワイヤレス通信のための方法であって、
共有アクセス媒体上において送信されたパケットから少なくとも１つの遅延関連パラメータを取得することと、
前記少なくとも１つの遅延関連パラメータに、少なくとも部分的に、基づいて前記共有アクセス媒体上における送信を遅延するかどうかを決定することと
を備える、方法。
［Ｃ３０］
ワイヤレス通信のための方法であって、
他の装置が共有アクセス媒体上において送信することを遅延すべきか否かを決定するために別の装置によって使用されるべき少なくとも１つの遅延関連パラメータを備えるパケットを生成することと、
前記他の装置への送信のために前記パケットを出力することと
を備える、方法。
【図１】
0006400712.tif 000002
【図２Ａ】
0006400712.tif 000003
【図２Ｂ】
0006400712.tif 000004
【図３】
0006400712.tif 000005
【図４】
0006400712.tif 000006
【図５】
0006400712.tif 000007
【図５Ａ】
0006400712.tif 000008
【図６】
0006400712.tif 000009
【図６Ａ】
0006400712.tif 000010